(57)【要約】【課題】個数表示の対象となる出荷先の数または物品の種類数の変化に対応可能な表示装置を提供する。【解決手段】本発明に係る表示装置は、所定の場所に配置され、所定の場所に置かれた物品に関する個数表示を行う表示装置であって、セグメント表示部と、入力部と、第１処理部とを備える。セグメント表示部は、複数のセグメントで構成され物品に関する情報を表示する。入力部は、個数表示の数の入力を受け付ける。第１処理部は、入力部によって受け付けた入力に基づいて、セグメント表示部が有する所定の領域の色を切り替え、セグメント表示部に個数表示の数に応じた小領域を形成する。ここで、所定の場所とは、物品の仕分け先となる棚またはコンテナや、仕分け対象となる物品を載置した棚またはコンテナ等（仕分け元）である。【選択図】図３
2013028454.tif 000002
【特許請求の範囲】
【請求項１】
所定の場所に配置され、前記所定の場所に置かれた物品に関する個数表示を行う表示装置であって、
複数のセグメントで構成され前記物品に関する情報を表示するセグメント表示部と、
前記個数表示の数の入力を受け付ける入力部と、
前記入力部によって受け付けた前記入力に基づいて、前記セグメント表示部が有する所定の領域の色を切り替え、前記セグメント表示部に前記個数表示の数に応じた小領域を形成する第１処理部と、
を備える、
表示装置。
【請求項２】
前記第１処理部は、前記所定の領域の色を切り替えることにより、前記複数の小領域に含まれる第１の小領域の色を、前記複数の小領域に含まれる他の小領域であって前記第１の小領域に隣接する第２の小領域の色と異なる色に切り替える、
請求項１に記載の表示装置。
【請求項３】
前記第１処理部は、前記所定の領域の色を切り替えることにより、前記セグメント表示部に、前記複数の小領域を仕切る境界線を形成する、
請求項１に記載の表示装置。
【請求項４】
前記個数表示の数に応じた前記所定の領域の色の切り替えに関する切り替え情報を記憶する記憶部と、
をさらに備え、
前記第１処理部は、前記入力部によって受け付けられた前記入力と、前記記憶部に記憶された前記切り替え情報とに基づいて前記所定の領域の色を切り替える、
請求項１から３のいずれかに記載の表示装置。
【請求項５】
前記セグメント表示部は、
前記所定の場所の位置を指し示す矢印を表示する矢印表示領域をさらに有し、
前記複数の小領域は、前記所定の場所に分配される前記物品の個数情報または前記所定の場所から取り出される前記物品の個数情報を示す、
請求項１から４のいずれかに記載の表示装置。
【請求項６】
前記小領域の数は、前記物品を前記所定の場所に仕分ける作業者の数または前記物品を前記所定の場所から取り出す作業者の数に応じて決定される、
請求項１から５のいずれかに記載の表示装置。
【請求項７】
前記小領域の数は、前記物品の仕分け先または前記物品の仕分け元である前記所定の場所の数に応じて決定される、
請求項１から５のいずれかに記載の表示装置。
【発明の詳細な説明】
【技術分野】
【０００１】
本発明は、表示装置に関する。
【背景技術】
【０００２】
物流センター、配送センターおよび出荷センター等、複数の店舗または会社向けの多種類および多数の物品が集められる場所では、物品を出荷先別に仕分けるための仕分け作業が行われる。仕分け作業には、ソーティングシステムやピッキングシステムが用いられる。ソーティングシステムは、台車で搬送される物品の山から、所定の数量の物品を取り出し、出荷先別に設けられた仕分けコンテナ（例えば、カゴ台車）または棚に物品を分配することにより、出荷先別に物品を仕分けるシステムである。また、ピッキングシステムは、物品の種類別に設けられた備え付けコンテナ（例えば、カゴ台車）または棚から、各店舗に配送すべき物品を取り出して、当該物品を台車に載せていくことにより、出荷先別に物品を仕分けるシステムである。物品の仕分け時には、例えば、特開２００７−２９０８０３号公報で示すように、物品の個数を表示させる表示装置が用いられる。作業者は、表示装置に表示された物品の個数情報（個数表示）に基づいて、仕分けコンテナに仕分ける物品の個数または備え付けコンテナから取り出す物品の個数を把握し、個数表示に応じた数の物品を仕分ける。
【発明の概要】
【発明が解決しようとする課題】
【０００３】
ところで、上記文献で示すように、表示装置は出荷先毎、または物品の種類毎に用いられる。すなわち、ソーティング時には、仕分け先となる仕分けコンテナ毎、ピッキング時には、物品を取り出す備え付けコンテナ毎に、表示装置が用いられる。物流センターで取り扱われる物品の種類数や取り引き先の店舗の数は、一定ではないため、多数の表示装置が必要になる場合もある。
【０００４】
本発明の課題は、個数表示の対象となる出荷先の数または物品の種類数の変化に対応可能な表示装置を提供することにある。
【課題を解決するための手段】
【０００５】
本発明に係る表示装置は、所定の場所に配置され、所定の場所に置かれた物品に関する個数表示を行う表示装置であって、セグメント表示部と、入力部と、第１処理部とを備える。セグメント表示部は、複数のセグメントで構成され物品に関する情報を表示する。入力部は、個数表示の数の入力を受け付ける。第１処理部は、入力部によって受け付けた入力に基づいて、セグメント表示部が有する所定の領域の色を切り替え、セグメント表示部に、個数表示の数に応じた小領域を形成する。ここで、所定の場所とは、物品の仕分け先となる仕分けコンテナまたは棚や、仕分け対象となる物品を載置した備え付けコンテナまたは棚等（仕分け元）である。
【０００６】
これにより、出荷先の数または物品の種類数の変化に対応することができる。
【０００７】
また、第１処理部は、所定の領域の色を切り替えることにより、第１の小領域の色を、第２の小領域の色と異なる色に切り替えることが好ましい。第１の小領域は、複数の小領域に含まれる領域である。第２の小領域は、複数の小領域に含まれる他の小領域であって第１の小領域に隣接する領域である。
【０００８】
また、第１処理部は、所定の領域の色を切り替えることにより、セグメント表示部に、複数の小領域を仕切る境界線を形成することが好ましい。
【０００９】
さらに、記憶部を備えることが好ましい。記憶部は、切り替え情報を記憶する。切り替え情報は、個数表示の数に応じた所定の領域の色の切り替えに関する情報である。また、第１処理部は、入力部によって受け付けられた入力と、記憶部に記憶された切り替え情報とに基づいて所定の領域の色を切り替えることが好ましい。
【００１０】
また、セグメント表示部は、矢印表示領域をさらに有することが好ましい。矢印表示領域は、所定の場所の位置を指し示す矢印を表示する。また、複数の小領域は、所定の場所に分配される物品の個数情報または所定の場所から取り出される物品の個数情報を示す。
【００１１】
さらに、小領域の数は、物品を所定の場所に仕分ける作業者の数または物品を所定の場所から取り出す作業者の数に応じて決定されることが好ましい。
【００１２】
または、小領域の数は、物品の仕分け先または物品の仕分け元である所定の場所の数に応じて決定されることが好ましい。
【発明の効果】
【００１３】
本発明に係る表示装置は、出荷先の数または物品の種類数の変化に対応することができる。
【図面の簡単な説明】
【００１４】
【図１】ソーティングシステムが用いられる物流センター等の一例を示す図である。
【図２】ソーティングシステムの概略構成を示すブロック図である。
【図３】表示装置の正面図である。
【図４】一台の仕分けコンテナに一つの表示装置を用いる場合の例を示す図である。
【図５Ａ】図４の部分拡大図である。一台の仕分けコンテナに一つの表示装置を用いて、物品を一種類ずつ仕分ける場合の表示例を示す図である。
【図５Ｂ】図４の部分拡大図である。一台の仕分けコンテナに一つの表示装置を用いて、複数人同時仕分けまたは複数物品同時仕分けを行う場合の表示例を示す図である。
【図６】二台の仕分けコンテナに一つの表示装置を用いる場合の例を示す図である。
【図７】図６の部分拡大図である。
【図８】表示装置の概略構成を示すブロック図である。
【図９】表示部に含まれる領域およびセグメントを示す図である。
【図１０】表示部に含まれる各領域とセグメントとの対応付け、および接点の状態を示す概念図である。
【図１１】変形例Ｃに係る表示装置の例を示す図である。
【図１２】変形例Ｄに係る表示装置の例を示す図である。
【図１３】変形例Ｅに係る表示装置の例を示す図である。
【発明を実施するための形態】
【００１５】
以下、図面を参照しつつ、本発明の一の実施形態に係る表示装置１４について説明する。
【００１６】
本実施形態に係る表示装置１４は、物流センター、配送センターおよび出荷センター等、多種類および多数の物品が扱われる場所で、物品を出荷先別（店舗別）仕分けるためのソーティングシステム１００に用いられる。
【００１７】
（１）ソーティングシステムの概略説明
図１および図２を用いてソーティングシステム１００の概略を説明する。図１は、ソーティングシステム１００が用いられる物流センターの一例を示す。また、図２は、ソーティングシステム１００の一例を示す。
【００１８】
図１に示すように、物流センター等には、物品を仕分けるための仕分けスペースＳＰが設けられている。仕分けスペースＳＰは、複数の仕分けゾーンＺ１，Ｚ２，・・・に分けられる。各ゾーンＺ１，Ｚ２，・・・には、複数の仕分けコンテナ（例えば、カゴ台車）７０が設けられる。複数の仕分けコンテナ７０は、各ゾーンＺ１，Ｚ２，・・・において、複数の列Ｒ１〜Ｒ４を成して配置される。図１では、ゾーンＺ１に、列Ｒ１，Ｒ２を構成する仕分けコンテナ７０が配置され、ゾーンＺ２には、列Ｒ３，Ｒ４を構成する仕分けコンテナ７０が配置される。列Ｒ１および列Ｒ２の間と、列Ｒ３および列Ｒ４の間とには、それぞれ、作業者ＯＰが台車を押して通過するための搬送経路ＰＡが形成されている。仕分けコンテナ７０には、個数表示を行う表示装置１４が取り付けられる。個数表示とは、当該場所（コンテナ）に投入される物品の数量に関する表示である。言い換えると、個数表示とは、各物品についての受注量に関する表示である。より具体的に、個数表示とは、後述する数量情報表示領域５１に表示される、物品の数量および物品の区分からなる情報を指す。作業者ＯＰは、搬送経路ＰＡを通過しながら、台車ＴＣに載せた物品（例えば一種類の物品）の山から、表示装置１４の個数表示として表示された数量の物品を、仕分けコンテナ７０に分配していく。
【００１９】
ソーティングシステム１００は、図２に示すように、主として、ホストコンピュータ１０と、中継器１１と、サブコンピュータ１２と、多数の表示装置１４とを含む。図２には、一の仕分けゾーンＺ１に対して用いられるソーティングシステム１００の構成を示す。他の仕分けゾーンＺ２も同様の構成が設けられるものとする。
【００２０】
ホストコンピュータ１０は、システム全体を統括する。ホストコンピュータ１０には、ソーティングシステム１００で用いられる基本データおよび仕分けデータが記憶されている。基本データとは、ソーティングシステム１００で仕分け対象となる物品の名前、仕分け先となる店舗の名前・住所、店舗ＩＤ、仕分けゾーンのアドレス、表示装置１４のＩＤ、表示装置１４のロケーション番号、仕分けゾーンおよび表示装置ＩＤを対応付ける第１対応付け情報等が含まれる。仕分けデータとは、各店舗から受注した物品の種類および各物品の受注量、店舗ＩＤおよび表示装置ＩＤを対応付ける第２対応付け情報を含む情報である。
【００２１】
ホストコンピュータ１０は、中継器１１と通信線で接続されている。ホストコンピュータ１０は、中継器１１を介してサブコンピュータ１２および多数の表示装置１４と無線通信が可能になっている。ホストコンピュータ１０は、表示装置１４の表示を制御する。表示装置１４から送られる信号は中継器１１を介してホストコンピュータ１０に送信される。また、ホストコンピュータ１０は、サブコンピュータ１２から送られる仕分けデータに基づき、表示装置１４に対してコマンドを送信する。具体的に、ホストコンピュータ１０は、店舗ＩＤと、表示装置ＩＤとを対応付けるテーブルを記憶している。ホストコンピュータ１０は、サブコンピュータ１２で読み取られた物品のバーコードに基づき、表示装置１４の表示内容の切り替えおよびライトの点灯／消灯に関するコマンドを各表示装置１４に送る。ここで、表示内容の切り替えとは、表示装置１４に表示させる物品情報（例えば、個数表示の内容および個数表示の数、商品コード、販売コード等）の切り替えを意味する。
【００２２】
サブコンピュータ１２は、ハンディーターミナルである。サブコンピュータ１２は、各仕分けゾーンＺ１，Ｚ２に一台設けられる。サブコンピュータ１２は、各仕分けゾーンＺ１，Ｚ２に関連する基本データおよび仕分けデータをホストコンピュータ１０からダウンロードして記憶する。サブコンピュータ１２は、物品に付されたバーコードを読み取るためのバーコードリーダーを備える。作業者ＯＰが物品の仕分けを開始する前に、バーコードリーダーを用いて物品のバーコードを読み取ることにより、当該物品に関する仕分けデータがサブコンピュータ１２に表示される。
【００２３】
多数の表示装置１４は、ホストコンピュータ１０から送られたコマンドに基づき、表示部に表示させる内容（表示内容）の切り替えおよびライトの点灯／消灯を行う。
【００２４】
（２）表示装置の詳細構成
次に、図３〜図１０を参照しながら、表示装置１４の構成を詳細に説明する。
【００２５】
表示装置１４は、図３に示すように、仕分け作業に関連する情報が表示される。仕分け作業に関連する情報には、例えば、仕分けコンテナ７０の配置場所を示すロケーションＩＤ、仕分けコンテナ７０に割り当てられた店舗に関する情報、および仕分け対象となる物品に関する情報が含まれる。ここで、店舗に関する情報とは、各店舗に割り当てられた番号（店舗ＩＤ）である。また、仕分け対象となる物品に関する情報とは、各物品（または商品）に割り当てられた番号（物品ＩＤまたは商品ＩＤ）、物品の個数表示、物品の売価、および物品の仕分け期限等である。なお、個数表示とは、上述したように、各物品についての受注量に関する表示である。具体的に、個数表示は、仕分けコンテナ７０に割り当てられた店舗から受注された物品の数量（受注量）に関する表示である。表示装置１４に表示される情報は、ホストコンピュータ１０から送られるコマンドおよび作業者ＯＰによる機能スイッチの操作に基づき、切り替えられる。
【００２６】
表示装置１４は、無線の表示端末であり、可搬性がある。また、表示装置１４は、上述したように、仕分けコンテナ（所定の場所に相当）７０に取り付けられる。図４〜図７は、仕分けコンテナ７０に取り付けられる表示装置１４の例を示す。図４は、一つの仕分けコンテナ７０に一つの表示装置１４が設けられる例を示す。図５Ａおよび図５Ｂは、一つの仕分けコンテナ７０に一つの表示装置１４が設けられた場合の画面の例である。具体的に、図５Ａは、個数表示の数が一つの場合の画面を示し、図５Ｂは、個数表示の数が二つの場合の画面を示す。例えば、図５Ａは、一つの仕分けコンテナ７０に物品が一種類ずつ仕分けられる場合の個数表示の例である。また、図５Ｂは、一つの仕分けコンテナ７０に複数種類の物品が同時に仕分けられる場合または複数人が同時に物品を仕分ける場合の個数表示の例である。一方、図６は、二つの仕分けコンテナ７０，７０に一つの表示装置１４が設けられる例を示す。また、図７は、一つの表示装置１４が二つの仕分けコンテナ７０，７０に仕分けられる物品の個数表示を行う場合の画面の例を示す。図７は、個数表示の数が二つの場合の画面を示す。
【００２７】
図５Ｂおよび図７に示されるように、個数表示の数（ここでは、仕分け対象となる物品の種類、仕分けを行う作業者ＯＰの数、または仕分けコンテナ７０の数）が複数の場合には、複数の個数表示が行えるように、表示装置１４の画面が切り替えられる。具体的には、画面の特定の領域（数量情報表示領域５１）が、必要に応じて小領域５１ａ，５１ｂに分割され、分割された各小領域５１ａ，５１ｂで、個数表示が行われる（図９参照）。詳細は、下記（２−２）表示部の欄で説明する。
【００２８】
次に、図８を参照して、表示装置１４の概略構成を説明する。表示装置１４は、主として、通信部４１と、表示部４２と、報知部４３と、入力部４４と、電力供給部４５と、制御装置４６とから構成されている。これらの構成は、枠体ＣＳおよび枠体ＣＳの内部に取り付けられている。
【００２９】
（２−１）通信部
通信部４１は、ホストコンピュータ１０や外部端末（例えば、携帯端末）との無線通信を可能にするための通信インターフェースである。すなわち、通信部４１は、無線受信部および無線送信部として機能する。
【００３０】
（２−２）表示部
表示部４２は、仕分け作業に関連する情報を表示するための画面を構成する。表示部４２は、中継器１１を介してホストコンピュータ１０から送信されるコマンドおよび作業者ＯＰによる機能スイッチの操作に基づいて表示部４２に表示される内容を切り替え、または、更新する。
【００３１】
表示部４２は、セグメントディスプレイである。セグメントディスプレイは、予め設けられた複数のセグメントを用いて情報を表示するディスプレイである。具体的に、セグメントディスプレイは、主として、複数のセグメントと、各セグメントに対応付けられた接点とによって構成されている。セグメントディスプレイは、任意のセグメントに対応付けられた接点の状態を変更させることにより、任意のセグメントと他のセグメントとのコントラストにより情報を示すディスプレイである。例えば、全セグメントに対応する接点がＯＦＦの状態で、任意のセグメントに対応する接点をＯＮに変更することで、任意のセグメントが発光または発色し、発光または発色したセグメントによって文字・数字・記号等が表示される。反対に、例えば、全セグメントに対応する接点がＯＮの状態で、任意のセグメントに対応する接点をＯＦＦに変更することで、任意のセグメントを除く全てのセグメントが発光または発色し、発光または発色しなかった任意のセグメントによって文字・数字・記号等が表示される。なお、接点の状態は、ホストコンピュータ１０から送られるコマンドまたは作業者ＯＰによる入力に基づいて変更される。
【００３２】
複数のセグメントには、一のセグメントのみで何らかの意味を成すものと、複数のセグメントの組み合わせにより意味を成すものとが含まれる。また、複数のセグメントは、表示部４２に含まれる各表示領域にそれぞれ配置されている。以下、表示部４２に含まれる各表示領域と、各表示領域に含まれるセグメントとについて説明する。
【００３３】
表示部４２は、図９に示すように、数量情報表示領域５１と、識別子表示領域５２と、電波受信状態表示領域５３と、充電量表示領域５４とを含む。
【００３４】
（２−２−１）数量情報表示領域
数量情報表示領域５１は、仕分けコンテナ７０に仕分けられる物品の数量に関する情報を表示する。仕分けられる物品の数量に関する情報は、物品の数量および物品の区分（ケースまたはバラ）である。数量情報表示領域５１は、物品の数量を表示する個数表示領域５１１と、物品の区分を表示する区分表示領域５１２とを含む。物品の区分とは、例えば、ケースまたはバラの区別である。
【００３５】
数量情報表示領域５１は、多数のセグメント９０ａ〜９３ｂにより構成されている。多数のセグメント９０ａ〜９３ｂには、背景に相当するセグメント９０ａ，９１ａ，９２ａ，９３ａと、数字を構成するセグメント９０ｂ〜９０ｈ，９２ｂ〜９２ｈと、区分を表示するセグメント９１ｂ，９３ｂとが含まれる。
【００３６】
数量情報表示領域５１は、ホストコンピュータ１０から送信されるコマンドおよび作業者ＯＰによる機能スイッチの操作のいずれかに基づいて、複数の小領域に分割される。具体的に、数量情報表示領域５１は、二つの小領域（第１領域５１ａおよび第２領域５１ｂ）に分割可能である。第１領域５１ａは、第１の仕分けコンテナ７０に仕分けられる物品の数量および区分を示す領域である。第２領域５１ｂは、第２の仕分けコンテナ７０に仕分けられる物品の数量および区分を示す領域である。
【００３７】
詳細には、ホストコンピュータ１０から送られるコマンドおよび作業者ＯＰによる機能スイッチの操作のいずれかに基づいて、第１領域５１ａおよび第２領域５１ｂに含まれるセグメントの接点の状態を変更することにより、数量情報表示領域に、二つの小領域５１ａ，５１ｂが形成される。
【００３８】
（２−２−２）識別子表示領域
識別子表示領域５２は、表示装置１４に表示される物品に関する識別子および表示装置１４自体の識別子を切替可能に表示する。具体的に、物品に関する識別子とは、物品の仕分け先となる店舗に関する情報（例えば、店舗ＩＤ等）および仕分け対象となる物品に関する情報（例えば、物品ＩＤ、物品の売価、物品の仕分け期限等）であり、表示装置１４自体の識別子には、仕分けコンテナ７０のロケーションＩＤ、仕分けコンテナ７０に割り当てられた店舗に関する情報が含まれる。
【００３９】
識別子表示領域５２もまた、多数のセグメントによって構成されている。識別子表示領域５２の情報もまた、ホストコンピュータ１０から送信されるコマンドおよび作業者ＯＰによる機能スイッチの操作に基づいて、セグメントに対応する接点の状態が切り替えられることにより表示される。
【００４０】
（２−２−３）電波受信状態表示領域
電波受信状態表示領域５３は、通信部４１を介して、ホストコンピュータ１０や外部端末（例えば、携帯端末）との通信が可能な状態か否かに関する情報を示す領域である。電波受信状態表示領域５３もまた、複数のセグメントによって構成されている。
【００４１】
（２−２−４）充電量表示領域
充電量表示領域５４は、後述する電力供給部（バッテリー）に蓄えられた電力量を示す領域である。充電量表示領域５４もまた、複数のセグメントによって構成されている。充電量表示領域５４は、具体的に、電力供給部に電力が蓄えられておらず充電が必要な状態（図６参照）、または、電力供給部が蓄えられている状態（図３参照）のいずれか一方を示す。
【００４２】
（２−３）報知部
報知部４３は、物品が投入されるべき仕分けコンテナ７０であることを示すためのライトである。報知部４３は、表示装置１４の枠体ＣＳに取り付けられている（図３参照）。報知部４３は、上述したように、ホストコンピュータ１０から送信されるコマンドに基づいて、点灯／消灯を行う。また、報知部４３は、作業者ＯＰによって後述する入力部４４が操作されることにより消灯する。
【００４３】
（２−４）入力部
入力部４４は、表示装置１４の枠体ＣＳに取り付けられ、作業者ＯＰによる入力を付けつけるスイッチである。入力部４４は、電源スイッチ４４ａと、機能スイッチ４４ｂと、完了スイッチ４４ｃとを含む（図３参照）。
【００４４】
電源スイッチ４４ａは、表示装置１４の電源のＯＮ／ＯＦＦの切り替えに関する入力を受け付けるためのスイッチである。機能スイッチ４４ｂは、表示装置１４に表示されている内容の切り替え（情報の切り替え）に関する入力を受け付けるためのスイッチである。完了スイッチ４４ｃは、所定数量の物品の投入が完了した後に押すスイッチである。ここで、「表示装置１４に表示されている内容を切り替える」とは、例えば、表示されている内容を商品ＩＤから店舗ＩＤに切り替えたり、商品ＩＤから売価に切り替えたり、画面に表示させる個数表示の数を変更したり、個数表示の内容を変更したりすることである。ここで、個数表示の数の変更とは、個数表示の数を、一つまたは複数（ここでは、二つ）に変更することをいう。個数表示の数が一つの場合、数量情報表示領域５１が一の領域として利用され、一つの個数表示が行われる。一方、個数表示の数が複数の場合には、数量情報表示領域５１が複数の小領域５１ａ，５１ｂに分割され、当該複数の小領域５１ａ，５１ｂでそれぞれ個数表示が行われる。また、個数表示の内容の変更とは、個数表示として表示された数量（受注量または区分）を変更することであり、例えば、受注量から仕分けコンテナ７０に投入済みの物品の数を差し引いた数を表示させることを指す。
【００４５】
なお、入力部４４が作業者ＯＰからの入力を受け付けた場合には、作業者ＯＰによって入力された情報がホストコンピュータ１０に送られる。
【００４６】
（２−５）電力供給部
電力供給部４５は、充電式のバッテリーである。電力供給部４５は、表示装置１４で必要な電力（例えば、表示の切り替えおよび通信）を供給する。電力供給部４５は、枠体ＣＳの内部に保持される。
【００４７】
（２−６）制御装置
制御装置４６は、表示装置１４の駆動部として機能する。具体的に、制御装置４６は、ＣＰＵ，ＲＡＭ，ＲＯＭ，およびハードディスクによって構成されている。
【００４８】
また、制御装置４６は、表示部４２の表示画面を管理するためのプログラムの他、各表示装置１４に固有の装置ＩＤ、画面を構成するための情報、および、画面の切り替え情報を記憶する。
【００４９】
ここで、画面を構成するための情報とは、表示領域に関する情報である。具体的に、表示領域に関する情報には、表示部４２が有する表示領域の種類（数量情報表示領域５１、識別子表示領域５２、電波受信状態表示領域５３、および充電量表示領域５４）と、各表示領域を構成するセグメントの種類（背景に相当するセグメント９０ａ，９１ａ，９２ａ，９３ａ、数字を構成するセグメント９０ｂ〜９０ｈ，９２ｂ〜９２ｈ、および区分を表示するセグメント９１ｂ，９３ｂ等）と、各表示領域または各セグメントの配置と、各セグメントの接点状態のデフォルトとに関する情報が記憶されている（図８参照）。なお、制御装置４６は、例えば、図１０に示すように、表示部４２が有する複数の表示領域５１〜５４と、各領域にそれぞれ設けられた複数のセグメント９０ａ〜９３ｂと、各セグメントの接点状態（ＯＮ／ＯＦＦ）とを対応付けて記憶する。
【００５０】
また、制御装置４６は、個数表示の数に応じた接点状態のデフォルト（切り替え情報に相当）を記憶する。例えば、図１０に示すように、個数表示の数が１の場合の、各セグメントに対応する接点のデフォルトと、個数表示の数が２の場合の、各セグメントに対応する接点のデフォルトとに関する情報が記憶されている。したがって、個数表示の数が一つの場合、すなわち、表示装置１４を用いて一つの仕分けコンテナ７０に物品を一種類ずつ仕分ける場合の個数表示では（図５Ａ参照）、個数表示の数が１の場合に設定されたデフォルトに基づいて接点の状態を変更する。一方、個数表示の数が二つの場合、すなわち、複数種類の物品を同時に仕分ける場合または複数人が同時に物品を仕分ける場合の個数表示（図５Ｂ参照）、および二つの仕分けコンテナ７０に物品を仕分ける場合の個数表示では（図７参照）、個数表示の数が２の場合に設定されたデフォルトに基づいて接点の状態を変更する。ここで、接点がＯＮで設定されたセグメントは、発光または発色される。
【００５１】
また、画面の切替情報とは、ホストコンピュータ１０から送られた直近のコマンドおよび作業者ＯＰによって入力された直近のコマンドである。画面の切替情報には、個数表示の数に関する情報および接点の状態の変更が必要なセグメントに関する情報等が含まれる。
【００５２】
さらに、制御装置４６は、補助電力供給部４６４を有する。補助電力供給部４６４は、電力供給部４５から供給された電力の一部を回路内に蓄える。具体的に、補助電力供給部４６４は、コンデンサである。補助電力供給部４６４は、微量の電力を回路内に蓄える。
【００５３】
なお、制御装置４６は、主として、表示切替部（第１処理部）４６１および送信部４６２として機能する。
【００５４】
（２−６−１）表示切替部
表示切替部４６１は、ホストコンピュータ１０から送られるコマンドおよび入力部４４で受け付けた入力（作業者ＯＰによる入力部４４の入力）に基づき、表示部４２に表示させる内容（表示画面の態様）を切り替える。具体的に、表示切替部４６１は、全セグメントのうちいずれかのセグメントの色を切り替えることにより、表示画面に表示させる内容（情報）を変化させる。具体的には、特定のセグメントの色を、背景色の色とは異なる色に切り替えることにより、表示画面に情報が表示される。より具体的には、表示切替部４６１が、特定のセグメントに対応付けられた接点の状態を変更することにより、セグメントの色が切り替えられる。
【００５５】
また、表示切替部４６１は、制御装置４６に記憶された個数表示の数に応じて、数量情報表示領域５１の態様を切り替える。すなわち、ホストコンピュータ１０から送られる個数表示の数に関するコマンドおよび入力部４４で受け付けた個数表示の数に関する入力に基づき、数量情報表示領域５１の態様が変化される。数量情報表示領域５１の態様とは、一つの個数表示を行う態様（第１態様）と、二つの個数表示を行う態様（第２態様）とを含む。第１態様では、個数表示の数が１として設定されたデフォルトに基づいて、接点の状態が切り替えられる。個数表示の数が１の場合に設定されたデフォルトは、第１領域５１ａの背景色と第２領域５１ｂの背景色とが、同じ色になるように、第１領域５１ａおよび第２領域５１ｂの背景に対応するセグメント９０ａ，９１ａ，９２ａ，９３ａの接点状態が設定される（図９参照）。ここでは、第１態様のとき、第１領域５１ａの背景に対応するセグメント９０ａ，９１ａおよび第２領域５１ｂの背景に対応するセグメント９２ａ，９３ａがともにＯＦＦに設定されている。
【００５６】
一方、第２態様では、個数表示の数が２の場合に設定されたデフォルトに基づいて、接点の状態が切り替えられる。個数表示の数が２の場合に設定されたデフォルトは、第２領域５１ｂに含まれる全セグメント９２ａ〜９２ｈ，９３ａ，９３ｂの接点状態を、第１領域５１ａに含まれる全セグメント９０ａ〜９０ｈ，９１ａ，９１ｂの接点状態と、異なる設定にしている。具体的には、図１０に示すように、第１領域５１ａに含まれる全セグメント９０ａ〜９０ｈ，９１ａ，９１ｂの接点がＯＦＦに設定され、第２領域５１ｂに含まれる全セグメント９２ａ〜９２ｈ，９３ａ，９３ｂの接点がＯＮに設定される。これにより、数量情報表示領域５１に、点灯しない背景（非点灯背景）を有する第１領域５１ａと、点灯している背景（点灯背景）第２領域５１ｂとが表示される（図７参照）。第１領域５１ａおよび第２領域５１ｂのデフォルトの設定が異なることから、第１領域５１ａでは、背景に対応するセグメント以外のセグメントの接点をＯＮに変更することにより、ＯＮに変更された接点に対応するセグメントによって情報が表示される。一方、第２領域５１ｂでは、背景に対応するセグメント以外のセグメントの接点をＯＦＦにすることにより、ＯＦＦに変更された接点に対応するセグメントによって情報が表示される。すなわち、数量情報表示領域５１は、個数表示の数に応じた数の小領域が形成される。
【００５７】
（２−６−２）送信部
送信部４６２は、表示切替部４６１によって表示部４２の表示が切り替えられたことを示す信号を、通信部４１を介してホストコンピュータ１０に向けて送信する。
【００５８】
（３）個数表示の数に応じた表示切替
表示装置１４は、ホストコンピュータ１０から送られるコマンドまたは入力部４４で受け付けた入力に基づいて、個数表示の数を決定する。
【００５９】
ここで、図５Ａに示すように、一つの仕分けコンテナ７０に対して一つ表示装置１４が設けられ、一種類ずつ物品が仕分けられる場合（すなわち、個数表示の数が一つの場合）は、表示切替部４６１は、数量情報表示領域５１の全体を一つの表示領域として、仕分けられる一種類の物品についての個数表示を行う。具体的には、ホストコンピュータ１０からのコマンドまたは入力部４４で受け付けた入力に基づいて、個数表示の数が１に対応するデフォルトの接点状態を変更する。
【００６０】
一方、図５Ｂに示すように、複数種類の物品について同時に仕分けを行う場合または複数人が同時に物品の仕分けを行う場合、さらに、図７に示すように、二つの仕分けコンテナ７０，７０に仕分けられる物品についての個数表示を行う場合（すなわち、複数の個数表示が必要な場合）には、表示切替部４６１は、数量情報表示領域５１に二つの小領域（第１領域５１ａおよび第２領域５１ｂ）が形成されるようにセグメントに対する接点の状態を変更する。すなわち、個数表示の数が２に対応するデフォルトの接点状態を、ホストコンピュータ１０からのコマンドまたは入力部４４で受け付けた入力に基づいて変更する。これにより、数量情報表示領域５１が、例えば、第１の仕分けコンテナ７０に対する個数表示を行う第１領域５１ａと、第２の仕分けコンテナ７０に対する個数表示を行う第２領域５１ｂとに分けられる。具体的には、隣接する二つの領域（第１領域５１ａおよび第２領域５１ｂ）が異なる背景色を有するように画面の態様が切り替えられる。すなわち、第１領域５１ａの表示色と第２領域５１ｂの表示色とを反転させることによって、数量情報表示領域５１に二つの表示領域５１ａ，５１ｂが形成される。
【００６１】
（４）特徴
（４−１）
上記実施形態に係る表示装置１４は、物流センター、配送センターおよび出荷センター等の多種類および多数の物品が扱われる場所で用いられる。具体的に、表示装置１４は、物流センター等で、種々の物品を出荷先別に仕分けるためのソーティングシステム１００に用いられる。また、表示装置１４は、物品の仕分け先となる仕分けコンテナ７０に取り付けられる。作業者ＯＰは、図１に示すように、仕分け対象の物品を台車ＴＣに載せて、仕分けスペースに配置された多数の仕分けコンテナ７０，７０，・・・の間を通過しながら、表示装置１４に表示された情報に基づいて、物品を仕分けコンテナ７０，７０，・・・に仕分けていく。
【００６２】
ところで、物流センター等で取り扱われる物品の種類や取り引きされる店舗の数は、一定ではない。したがって、一台の仕分けコンテナ７０に対して一台の表示装置１４を使用した場合、取り扱い物品種の増加または取引先店舗の増加に伴い、多数の表示装置が必要になる場合がある。
【００６３】
上記実施形態に係る表示装置１４は、表示部４２に含まれる数量情報表示領域５１のうち、所定の領域の色を切り替えることにより、数量情報表示領域５１に複数の小領域（第１領域５１ａおよび第２領域５１ｂ）を形成することができる。すなわち、一つの数量情報表示領域５１を、二つの小領域５１ａ，５１ｂに分割することができる。これにより、一台の表示装置１４を用いて、二つの仕分けコンテナ７０，７０に仕分けられる物品の個数表示を行うことができる。言い換えると、仕分けコンテナ７０の数の変化（出荷先の数の変化）に柔軟に対応することができる。
【００６４】
また、一台の仕分けコンテナ７０に対して一台の表示装置１４を使用した場合であっても、図５Ｂのように、数量情報表示領域が二つの小領域５１ａ，５１ｂに分割されることにより、複数の作業者ＯＰ（ここでは二人）が一台の表示装置１４を同時に操作することもできる。また、１人の作業者ＯＰが複数種類の物品（ここでは二種類）を同時に仕分けることもできる。すなわち、同時に作業を行う作業者ＯＰの人数または同時に仕分け作業する物品の種類数に柔軟に対応することができ、仕分け作業の効率化を図ることができる。
【００６５】
（４−２）
また、上記実施形態に係る表示装置１４では、数量情報表示領域５１に形成される二つの小領域５１ａ，５１ｂのうち、一つの小領域の色を、他の小領域の色と異なる色に変化させる。例えば、第１領域５１ａを非点灯背景に設定し、第２領域５１ｂを点灯背景に設定する。すなわち、第１領域５１ａでは、点灯したセグメント（接点がＯＮのセグメント）によって情報（数字・文字等）が表示され、第２領域５１ｂでは、点灯しないセグメント（接点がＯＦＦのセグメント）によって情報が表示される。言い換えると、第１領域５１ａと第２領域５１ｂとで背景色および数字・文字の色が反転する。
【００６６】
これにより、隣接する小領域に表示された個数表示は、背景色および文字のコントラストにより、容易に識別可能になる。
【００６７】
（５）変形例
（５−１）変形例Ａ
上記実施形態では、物品を仕分けるシステムとしてソーティングシステムを例に挙げて説明したが、物品を仕分けるシステムとしてピッキングシステムを採用する場合にも上記実施形態に係る表示装置１４を用いることができる。ピッキングシステムは、物品の種類別に設けられた備え付けコンテナ（例えば、カゴ台車）７０から、各店舗に配送すべき物品を取り出して、作業者ＯＰによって搬送される台車ＴＣに当該物品を載せていくことにより、出荷先別に物品を仕分けるシステムである。ピッキングシステムでは、備え付けコンテナ（所定の場所に相当）７０に表示装置１４を取り付けられ、表示装置１４の個数表示に基づいて備え付けコンテナ７０から所定数量の物品が取りだされる。
【００６８】
物品の種類毎に備え付けコンテナ７０を設け、一台の備え付けコンテナ７０に一台の表示装置１４を設置する場合にも、仕分け対象となる物品の種類（すなわち、物品を載置する備え付けコンテナ）が増えると、表示装置１４の数を増やす必要が生じる。しかし、上記実施形態に係る表示装置１４は、数量情報表示領域５１を複数の小領域５１ａ，５１ｂに分割して使用することができるため、取り扱う物品種の増加にも柔軟に対応することができる。
【００６９】
また、数量情報表示領域が二つの小領域５１ａ，５１ｂに分割されることにより、複数の作業者ＯＰ，ＯＰが一台の表示装置１４を同時に操作することもできる。
【００７０】
（５−２）変形例Ｂ
上記実施形態に係る表示部４２は、液晶であっても電子ペーパーであってもよい。すなわち、数量情報表示領域５１における所定の領域の色を反転させることにより、数量情報表示領域５１を複数の小領域に分割しうるものであれば、表示デバイスの種類はどのようなものであってもよい。
【００７１】
（５−３）変形例Ｃ
上記実施形態に係る表示部４２は、矢印表示領域５５をさらに有していてもよい。矢印表示領域５５は、各小領域５１ａ，５１ｂがいずれの仕分けコンテナ７０に仕分けられる物品についての個数表示であるか、または、各小領域５１ａ，５１ｂがいずれの備え付けコンテナ７０から取り出される物品についての個数表示であるかを示す。
【００７２】
矢印表示領域５５は、図１１に示すように、左右いずれかの方向を指す矢印を表示する。例えば、ソーティングシステムで用いた場合、図１１は、左側の小領域（第１領域）５１ａは、左側の仕分けコンテナ７０に仕分けられる物品についての個数表示であり、右側の小領域（第２領域）５１ｂは、右側の仕分けコンテナ７０に仕分けられる物品についての個数表示であることを示す。これにより、各小領域５１ａ，５１ｂがどの物品に関する個数表示を示すものか容易に判断することができる。
【００７３】
（５−４）変形例Ｄ
また、上記実施形態に係る表示装置１４は、個数表示の数を受け付ける入力部を有する。また、表示装置１４は、個数表示の数に応じたセグメント情報（各セグメントのデフォルト）を記憶し、入力部で受け付けた個数表示の数に応じて、所定の領域（セグメント）の接点を切り替える。
【００７４】
このとき、上記実施形態では、一の数量情報表示領域５１に二つの小領域５１ａ，５１ｂを形成する例を説明したが、小領域の数は、三つであっても構わない。すなわち、一つの表示装置１４を用いて、三つの仕分けコンテナ７０，７０，７０に対する個数表示（三つの個数表示）を行ってもよい。この場合にも、数量情報表示領域５１に形成される複数の小領域５１ａ，５１ｂのうち、隣接する小領域が、互いに異なる色で表示されるように表示切替部４６１は動作する。例えば、図１２に示すように、数量情報表示領域５１を、第１領域５１ａ、第２領域５１ｂ、および第３領域５１ｃの三つの小領域に分割する。第１領域５１ａおよび第３領域５１ｃを点灯背景に設定し、第２領域５１ｂを非点灯背景に設定する。すなわち、第１領域５１ａおよび第３領域５１ｃと、第２領域５１ｂとで、接点状態について異なるデフォルトと設定する。これにより、一つの数量情報表示領域５１に複数の小領域５１ａ〜５１ｃを形成することができる。
【００７５】
（５−５）変形例Ｅ
上記実施形態では、表示切替部４６１によって、数量情報表示領域５１のうち、所定のセグメント（複数の小領域のうち一の小領域の背景に相当するセグメント）を切り替えることで、数量情報表示領域５１に複数の小領域５１ａ，５１ｂを形成した。しかし、表示切替部４６１は、数量情報表示領域５１に含まれる他のセグメントの色を切り替えることにより、数量情報表示領域５１内に複数の小領域５１ａ，５１ｂを形成してもよい。具体的に、他のセグメントとは、図１３に示すように、数量情報表示領域５１に設けられた境界線Ｌ１に相当する領域のセグメントである。すなわち、数量情報表示領域５１を構成するセグメントに、境界線Ｌ１に相当するセグメントを設け、また、境界線Ｌ１に相当するセグメントの接点を、数量情報表示領域５１の背景に相当するセグメントの接点と異なる状態に変更する。これにより、境界線Ｌ１に相当するセグメントが、数量情報表示領域５１を仕切り、複数の小領域５１ａ，５１ｂを形成する。境界線Ｌ１は、数量情報表示領域５１を複数の小領域５１ａ，５１ｂに分割することで、各個数表示に使用する数字の桁数を変更する。これにより、一の数量情報表示領域５１に表示された複数の個数情報を容易に識別することができる。
【００７６】
さらに、境界線Ｌ１を含む枠に相当するセグメントを設け、当該枠に相当するセグメントの接点の状態を変更させることにより、数量情報表示領域５１を、複数の小領域５１ａ，５１ｂに分割してもよい。
【００７７】
（５−６）変形例Ｆ
上記実施形態では、表示装置１４が無線の表示端末であったが、表示装置１４は、有線の表示端末であってもよい。また、上記実施形態に係る表示装置１４は、電力供給部として充電式のバッテリーを有したが、電力供給部は、他の手段であってもよい。例えば、電力供給部が、電源から直接電力の供給を受ける構成をとっていてもよい。
【符号の説明】
【００７８】
１０    ホストコンピュータ
１１    中継器
１２    サブコンピュータ
１４    表示装置
４１    通信部（入力部）
４２    表示部（セグメント表示部）
４３    報知部
４４（４４ａ−４４ｃ）    入力部（入力部）
４５    電力供給部
４６    制御装置（記憶部）
５１    数量情報表示領域
５１ａ  第１領域
５１ｂ  第２領域
５２    識別子表示領域
５３    電波受信状態表示領域
５４    充電量表示領域
１００  ソーティングシステム
４６１  表示切替部（第１処理部）
４６２  送信部
４６３  補助電力供給部
５１１  個数表示領域
５１２  区分表示領域
【先行技術文献】
【特許文献】
【００７９】
【特許文献１】特開２００７−２９０８０３号公報
【図１】
2013028454.tif 000003
【図２】
2013028454.tif 000004
【図３】
2013028454.tif 000005
【図４】
2013028454.tif 000006
【図５Ａ】
2013028454.tif 000007
【図５Ｂ】
2013028454.tif 000008
【図６】
2013028454.tif 000009
【図７】
2013028454.tif 000010
【図８】
2013028454.tif 000011
【図９】
2013028454.tif 000012
【図１０】
2013028454.tif 000013
【図１１】
2013028454.tif 000014
【図１２】
2013028454.tif 000015
【図１３】
2013028454.tif 000016